(57)【特許請求の範囲】
【請求項１】
日付の十位の数字を表示させる十位日付表示孔、および日付の一位の数字を表示させる
一位日付表示孔を有する文字板と、この文字板から所定の数字を表示させて日付を表示す
る日付表示機構と、を備えた日付表示機能付時計であって、
前記日付表示機構は、
一位日付表示孔から表示させる一位の数字が表示される一位目盛が配設される一位日板と、
十位日付表示孔から表示される十位の数字が表示される十位目盛が配設される十位日板と、
一位日板を駆動させる一位日付駆動機構と、
十位日板を前記一位日板と異なる回転軸で駆動させる十位日付駆動機構と、
を具備し、
前記十位目盛は、前記十位日付表示孔にのみ十位の数字を表示させる通常十位目盛と、前記十位日付表示孔に十位の数字を表示させるとともに、前記一位日付表示孔に一位の数
字を表示させる双表示目盛と、を備え
前記十位日板には、前記一位日付表示孔に対向する領域に一位表示孔が形成されている
ことを特徴とする日付表示機能付時計。
【請求項２】
請求項１に記載の日付表示機能付時計であって、
前記一位日板の前記一位目盛は、前記文字板に対向する面に、周方向に沿って、「１」
から「９」までの数字が順に配列される上旬目盛、「０」から「９」までの数字が順に配
列される中旬目盛、「０」から「９」までの数字が順に配列される下旬目盛、および２つ
の日付数字が表示されない非表示目盛が、それぞれ前記一位日付表示孔から表示可能に、
均等間隔で順に配置されて構成され、
前記通常十位目盛は、十位の数時が「０」、「１」、「２」であり、
前記双表示目盛は、十位の数字が「３」であり、一位の数字が「０」または「１」であ
り、
前記十位日板の十位目盛は、前記文字板に対向する面に、周方向に沿って、前記通常十
位目盛、前記双表示目盛の順に配置されるとともに、前記通常十位目盛に対して、十位数
字が「０」、「１」、「２」の順に、前記双表示目盛に対して、一位数字が「０」、「１
」の順に配置され、
前記一位日付駆動機構は、前記一位日板を、１日毎に１つの一位目盛分だけ駆動させ、
前記十位日付駆動機構は、前記一位日付表示孔に対向する位置に、前記上旬目盛の「１
」、前記中旬目盛の「０」、前記下旬目盛の「０」が移動されるタイミングで、それぞれ
、前記通常十位目盛の「０」、「１」、「２」を前記十位日付表示孔に対向する位置に移
動させるとともに、前記一位日付表示孔に対向する位置に、非表示目盛が移動されるタイ
ミングで、前記双表示目盛の前記十位日付表示孔に対向する位置に「３」を、前記一位日
付表示孔に対向する位置に「０」または「１」を移動させることを特徴とした日付表示機能付時計。
【請求項３】
請求項１または請求項２に記載の日付表示機能付時計において、
前記一位日板は、略円環状に形成されるとともに、円環内周面に前記十位日板の駆動間
隔に対応する周間隔で５つの十位駆動歯を備え、
前記十位日付駆動機構は、前記十位日板と連動するとともに、前記十位駆動歯により回
転駆動される十位日車を備えたことを特徴とした日付表示機構付時計。
【請求項４】
請求項３に記載の日付表示機能付時計において、
前記一位日付駆動機構は、
前記一位日板に連結されるとともに、内周に、前記一位日板の各一位目盛に対応した一
位駆動歯を複数有する略円環状の一位日車と、
前記一位駆動歯が所定角度回動すると、この一位駆動歯を、日付の進む方向に押し出す
一位ジャンパと、を備え、
前記十位日車は、前記十位駆動歯に係合可能な５つの係合歯を有し、
前記十位日付駆動機構は、前記係合歯が所定角度回動すると、この係合歯を、日付の進
む方向に押し出す十位ジャンパを備え、
前記十位ジャンパは、前記上旬目盛の「１」、前記中旬目盛の「０」、前記下旬目盛の
「０」、および２つの非表示目盛が前記一位日付表示孔に対向する位置に移動する際に、
前記一位ジャンパが前記一位駆動歯を押し出すタイミングと略同一タイミングで、前記係
合歯を押し出すことを特徴とした日付表示機構付時計。
【発明の詳細な説明】
【技術分野】
【０００１】
本発明は、日付を表示させる日付表示機構を備えた日付表示機構付時計に関する。
【背景技術】
【０００２】
従来、腕時計などの小型時計において、文字板に日付を表示させる機構が設けられた日
付表示機構付時計が知られている。また、このような時計において、時計の外周縁に沿っ
て１日から３１日までの数字が表示される日付表示板を、１ヶ月で１回転させる構成では
、日付として表示される数字が小さくなるため、日付の一位と十位とを別々に表示させる
構成が知られている（例えば、特許文献１参照）。
【０００３】
この特許文献１に記載の時計は、１日毎に１段階進むように構成されるとともに、１〜
０までの数字が表示される１位表示部材と、１０日毎に１段階進むように構成されるとと
もに、０〜３の数字が表示される１０位表示部材とを組み合わせて、１〜３１日の日付を
表示させる装置である。
【０００４】
【特許文献１】特開２０００−６５９５７号公報
【発明の開示】
【発明が解決しようとする課題】
【０００５】
ところで、上記特許文献１のような時計では、１位表示部材と１０位表示部材との高さ
位置が異なるため、表示される日付の全てに段差が生じてしまう。このため、例えば商品
撮影などを実施する際に、段差による影が生じてしまい、撮影方向などを考慮する必要が
あるなど、煩雑な作業が発生するという問題があった。
【０００６】
本発明は、上記のような問題に鑑みて、文字表示部分の段差が生じず、良好な商品撮影
が可能な日付表示機構付時計を提供することを目的とする。
【課題を解決するための手段】
【０００７】
本発明の日付表示機能付時計は、  日付の十位の数字を表示させる十位日付表示孔、および日付の一位の数字を表示させる一位日付表示孔を有する文字板と、この文字板から所定の数字を表示させて日付を表示する日付表示機構と、を備えた日付表示機能付時計であって、前記日付表示機構は、一位日付表示孔から表示させる一位の数字が表示される一位目盛が配設される一位日板と、
十位日付表示孔から表示される十位の数字が表示される十位目盛が配設される十位日板
と、一位日板を駆動させる一位日付駆動機構と、
十位日板を前記一位日板と異なる回転軸で駆動させる十位日付駆動機構と、
を具備し、前記十位目盛は、前記十位日付表示孔にのみ十位の数字を表示させる通常十位目盛と、前記十位日付表示孔に十位の数字を表示させるとともに、前記一位日付表示孔に一位の数字を表示させる双表示目盛と、を備え
前記十位日板には、前記一位日付表示孔に対向する領域に一位表示孔が形成されている
ことを特徴とする。
【０００８】
この発明によれば、一位日付表示孔から一位日板に設けられる一位目盛の数字を表示で
き、十位日付表示孔から十位日板に設けられる十位目盛の数字を表示できる。これにより
、１つの表示窓で２桁の数字を表示させる場合に比べて、日付を大きく表示させることが
できる。これに加えて、本発明では、十位日板の十位目盛に、十位日付表示孔および一位
日付表示孔の双方に日付の数字を表示させることが可能な双表示目盛が設けられている。
したがって、十位日付表示孔および一位日付表示孔からこの双表示目盛が表示されている
状態では、十位の数字および一位の数字が十位日板に設けられている数字であるため、こ
れら数字間の段差をなくすことができる。また、十位日板の双表示目盛で十位数字および
一位数字を表示させることで、文字板を正面から見た際に、十位数字および一位数字の間
隔寸法や配置位置のずれによる縦横方向の位置ずれなどがなく、十位日付表示孔および一
位日付表示孔の適切な位置にこれらの十位数字および一位数字を表示させることができる
。よって、商品撮影などを実施する際に、段差にともなる影が生じず、例えば影をなくす
為に照明方向を調整するなどの煩雑な作業を省略でき、良好な商品撮影を実施することが
できる。
【０００９】
また、本発明の日付表示機能付時計は、前記一位日板の前記一位目盛は、前記文字板に
対向する面に、周方向に沿って、「１」から「９」までの数字が順に配列される上旬目盛
、「０」から「９」までの数字が順に配列される中旬目盛、「０」から「９」までの数字
が順に配列される下旬目盛、および２つの日付数字が表示されない非表示目盛が、それぞ
れ前記一位日付表示孔から表示可能に、均等間隔で順に配置されて構成され、前記通常十
位目盛は、十位の数時が「０」、「１」、「２」であり、前記双表示目盛は、十位の数字
が「３」であり、一位の数字が「０」または「１」であり、前記十位日板の十位目盛は、
前記文字板に対向する面に、周方向に沿って、前記通常十位目盛、前記双表示目盛の順に
配置されるとともに、前記通常十位目盛に対して、十位数字が「０」、「１」、「２」の
順に、前記双表示目盛に対して、一位数字が「０」、「１」の順に配置され、前記一位日
付駆動機構は、前記一位日板を、１日毎に１つの一位目盛分だけ駆動させ、前記十位日付
駆動機構は、前記一位日付表示孔に対向する位置に、前記上旬目盛の「１」、前記中旬目
盛の「０」、前記下旬目盛の「０」が移動されるタイミングで、それぞれ、前記通常十位
目盛の「０」、「１」、「２」を前記十位日付表示孔に対向する位置に移動させるととも
に、前記一位日付表示孔に対向する位置に、非表示目盛が移動されるタイミングで、前記
双表示目盛の前記十位日付表示孔に対向する位置に「３」を、前記一位日付表示孔に対向
する位置に「０」または「１」を移動させることを特徴とする。
【００１０】
この発明によれば、日付が１日から２９日までの場合、一日ごとに一位日付表示孔から
表示される数字が切り替わり、１０日毎に十位日付表示孔から表示される数字が切り替わ
る。ここで、日付板に「１」から「３１」の数字を配置して、一つの日付表示孔から日付
を表示させる構成に比べて、本発明のように一位と十位との表示をそれぞれ分けることに
より各位の数字を大きく表示させることが可能となり、視認により日付がより確認しやす
くなる。また、日付が３０日、および３１日の場合、十位日付表示孔から月末十位目盛の
十位表示部の「３」が表示され、この十位表示部に近接して表示される一位表示部の「０
」または「１」が一位日付表示孔から表示される。すなわち、日付が３０、３１日である
場合に、十位日板により日付が表示され、十位日付表示孔から表示される数字と、一位日
付表示孔から表示される数字との間の段差を無くすことができる。
したがって、十位日板の構成をより簡単にすることができる。すなわち、双表示目盛が
例えば１〜２９日の間である１５日に設けられている場合、十位日板には、１〜１４日に
対応する「０」、「１」の通常十位目盛に連続して、「１５日」に対応する双表示目盛を
配置し、この双表示目盛に連続して１６〜３１日に対応する「１」、「２」、「３」の通
常十位目盛を配置する必要があり、十位日板に配置する目盛が増大する。これに対して、
上記発明では、「０」、「１」、「２」の通常十位目盛の後に、「３０」、「３１」の双
表示目盛を配置するのみでよいため、より構成を簡単にすることができる。
【００１１】
また、本発明の日付表示機能付時計は、前記一位日板は、略円環状に形成されるととも
に、円環内周面に前記十位日板の駆動間隔に対応する周間隔で５つの十位駆動歯を備え、
前記十位日付駆動機構は、前記十位日板と連動するとともに、前記十位駆動歯により回転
駆動される十位日車を備えることが好ましい。
【００１２】
この発明によれば、一位日板に設けられる十位駆動歯により十位日付駆動機構に駆動力
が伝達し、十位日板を駆動させることができる。したがって、一位日板および十位日板に
それぞれ駆動力を発生させるモータを設ける必要がなく、１つの駆動力で、これらの一位
日板および十位日板を駆動させることができる。よって、構成をより簡単にできるととも
に、小型時計の限られたスペースを有効に活用することができ、時計の小型化にも対応す
ることができる。
【００１３】
そして、本発明の日付表示機能付時計は、前記一位日付駆動機構は、前記一位日板に連
結されるとともに、内周に、前記一位日板の各一位目盛に対応した一位駆動歯を複数有す
る略円環状の一位日車と、前記一位駆動歯が所定角度回動すると、この一位駆動歯を、日
付の進む方向に押し出す一位ジャンパと、を備え、前記十位日車は、前記十位駆動歯に係
合可能な５つの係合歯を有し、前記十位日付駆動機構は、前記係合歯が所定角度回動する
と、この係合歯を、日付の進む方向に押し出す十位ジャンパを備え、前記十位ジャンパは
、前記上旬目盛の「１」、前記中旬目盛の「０」、前記下旬目盛の「０」、および２つの
非表示目盛が前記一位日付表示孔に対向する位置に移動する際に、前記一位ジャンパが前
記一位駆動歯を押し出すタイミングと略同一タイミングで、前記係合歯を押し出すことが
好ましい。
【００１４】
この発明によれば、一位ジャンパと十位ジャンパとにより、一位ジャンパや十位ジャン
パが一位駆動歯や係合歯を押し出して一位日車や十位日車を移動させる。ここで、一位日
板として、時分針に連結される時分針の駆動歯車に連結されて、この駆動歯車から駆動力
を得る場合、時分針の駆動により一位日板も駆動し続ける。したがって、一位ジャンパが
設けられていない場合では、既に暦上の日付が代わっているにもかかわらず、文字板の一
位日付表示孔から表示される数字が完全に切り替わっていない場合などが考えられる。こ
れに対して、本発明では、上記したように、一位ジャンパおよび十位ジャンパを設け、例
えば時分針が０時０分位置に移動されると同時に、一位ジャンパが一位日板の一位駆動歯
を押し出す。これにより、即座に一位日付表示孔から表示される一位目盛を次の暦に対応
した一位目盛に即座に切り替えることができる。
また、一位日板が「０１日」、「１０日」「２０日」、「３０日」、「３１日」に対応
する位置に移動すると、十位駆動歯により十位日車が駆動される。この際、十位歯車にも
十位ジャンパが設けられているため、十位日付表示孔の表示も、例えば時分針が０時０分
位置に移動されると同時に、切り替えることができる。すなわち、一位日付表示孔の表示
と、十位日付表示孔の表示とを同一タイミングで切り替えることが可能となる。したがっ
て、日付の一位の数字と十位の数字との切り替えタイミングのずれがなく、正確な日付を
表示させることができる。
【発明を実施するための最良の形態】
【００１５】
以下、本発明の一実施の形態に係る日付表示機能付時計を図面に基づいて説明する。
図１は、本発明の一実施の形態の係る日付表示機能付時計の概略を示す全体図である。
図２は、この日付表示機能付時計の内部において文字板を取り外した状態の概略構成を
示す正面図である。
図３は、図２におけるIII-III’線を断面した断面図である。
図４は、「１」〜「２９」の日付が表示される状態における日付表示窓近傍を断面した
断面図である。
【００１６】
［日付表示機能付時計の構成］
図１において、１は、日付表示機能付時計でありこの日付表示機能付時計１（以降、時
計１と略す）は、風防ガラス１２を有する外装ケース１１と、風防ガラス１２から視認可
能な文字板１３と、外装ケース１１に収納されるムーブメント１００（図２参照）とを備
えている。
文字板１３は、円盤状に形成されるとともに、外周縁に沿って、時分表示目盛１４が所
定間隔で配置されている。また、文字板１３には、日付を表示する日付表示窓１５が設け
られている。この日付表示窓１５は、日付の一の位を表示させる一位日付表示孔１６と、
日付の十の位を表示させる十位日付表示孔１７とを備えている。そして、これら一位日付
表示孔１６および十位日付表示孔１７は、図２に示すように、所定の間隔を開けて配置さ
れている。
【００１７】
ムーブメント１００は、図２に示すように、指針駆動軸１０１と、日付表示機構２００
と、図示しない指針駆動機構と、外装ケースの裏蓋側に対向して配置される図示しない駆
動モータと、駆動電力を供給する図示しない電池と、時計１の全体の動作を制御する制御
回路部と、などを備えている。
このムーブメント１００では、制御回路部から所定のパルス信号を駆動モータに出力し
、駆動モータでこのパルス信号に応じた駆動力を発生させる。そして、駆動モータにて発
生した駆動力は、指針駆動機構に出力され、この指針駆動機構から指針駆動軸１０１に伝
達される。
指針駆動軸１０１は、時針駆動軸１０２と、分針駆動軸１０３と、秒針駆動軸１０４と
、を有している。これらの時針駆動軸１０２、分針駆動軸１０３、および秒針駆動軸１０
４は、文字板１３と風防ガラス１２との間で、それぞれ時針１８、分針１９、および秒針
２０を保持している。そして、これら時針駆動軸１０２、分針駆動軸１０３、および秒針
駆動軸１０４は、指針駆動機構からの駆動力が伝達されることにより回転駆動され、時針
１８、分針１９、および秒針２０を所定の駆動間隔で駆動させる。
また、時針駆動軸１０２は、駆動モータからの駆動力が伝達される時針駆動歯車１０２
Ａと、一位日付駆動機構２３０に駆動力を伝達する日付駆動伝達歯車１０２Ｂとを備えて
いる。なお、本実施の形態では、時針駆動軸１０２は、１２時間で１回転、１日で２回転
するものとする。
【００１８】
［日付表示機構の構成］
次に、ムーブメント１００に組み込まれる日付表示機構２００について説明する。
日付表示機構２００は、図２および図３に示すように、ムーブメント１００の文字板１
３に対向する地板１１０（図３参照）上に配置されている。そして、この日付表示機構２
００は、カレンダ輪列受２１０（図３参照）と、一位日板２２０と、一位日付駆動機構２
３０と、十位日板２４０と、十位日付駆動機構２５０と、を備えている。
【００１９】
カレンダ輪列受２１０は、地板１１０に立設される固定軸２１１（図２参照）に、地板
１１０と所定の間隔を開けて配置される略板状部材である。このカレンダ輪列受２１０は
、図２に示すように、文字板１３の地板１１０側に略密接して設けられており、文字板１
３の日付表示窓１５の一位日付表示孔１６および十位日付表示孔１７に対向する領域は、
少なくともこれら一位日付表示孔１６および十位日付表示孔１７以上の大きさの表示孔２
１３（図３参照）形成されている。そして、このカレンダ輪列受２１０は、十位日板２４
０および十位日車２５１を回転可能に保持している。
【００２０】
〔一位日板および一位日付駆動機構の構成〕
一位日板２２０は、図２に示すように、ムーブメント１００の外周縁に沿う略円環状に
形成されるとともに、文字板１３に対向する面に、日付の一位の数字を示す一位目盛が複
数配置されている。具体的には、一位日板２２０には、一位日付表示孔１６に対向する円
環領域に３１個の一位目盛２２１が所定間隔おきに均等に配置されている。これらの一位
目盛２２１には、図２に示すように、時計回り方向に沿って順に、「１」から「９」まで
の上旬目盛２２１Ａ、続いて「０」から「９」までの中旬目盛２２１Ｂ、続いて「０」か
ら「９」までの下旬目盛２２１Ｃ、続いて数字が表示されていない２つの非表示目盛２２
１Ｄが連続して配置されている。
【００２１】
また、一位日板２２０は、指針駆動軸１０１側である内周面に沿って、５つの十位駆動
歯２２２が突出形成されている。具体的には、この十位駆動歯２２２は、それぞれ、一位
日板２２０の内周面における、上旬目盛２２１Ａの「１」と「２」との間、「２」と「３
」との間、中旬目盛２２１Ｂの「１」と「２」との間、下旬目盛２２１Ｃの「１」と「２
」との間、および非表示目盛２２１Ｄと上旬目盛２２１Ａの「１」との間に対応する位置
に設けられている。
そして、この一位日板２２０は、連結部材２２３により後述する一位日付駆動機構２３
０の一位日車２３２に連結され、一位日車２３２と連動してムーブメント１００の外周縁
に沿って回転駆動する。
【００２２】
一位日付駆動機構２３０は、日回し車２３１と、一位日車２３２と、一位ジャンパ２３
３とを備えている。
日回し車２３１は、地板１１０から突出する軸に回転可能に保持されている。この日回
し車２３１は、時針駆動軸１０２の日付駆動伝達歯車１０２Ｂに噛合し、この日付駆動伝
達歯車１０２Ｂから駆動力が伝達されて回転駆動される。ここで、日回し車２３１は、日
付駆動伝達歯車１０２Ｂに対して１／２のギア比に設定されており、日付駆動伝達歯車１
０２Ｂが２回転する間に、この日回し車２３１は、１回転する。すなわち、日回し車２３
１は、２４時間で１回転する。
【００２３】
また、日回し車２３１の外周面に日付駆動伝達歯車１０２Ｂに噛合可能な歯を有し、こ
れらの歯のうち１本は、他の歯より外径側に突出する日車駆動歯２３１Ａを構成している
。この日車駆動歯２３１Ａは、一位日車２３２の内周面に設けられる一位駆動歯２３２Ａ
に噛合可能となっている。これにより、日回し車２３１は、回転中この日車駆動歯２３１
Ａが一位駆動歯２３２Ａに噛合した時のみ一位日車２３２を駆動させる。すなわち、日回
し車２３１は、２４時間に１回の頻度で一位日車２３２を一段階進ませる。
さらに、日回し車２３１は、日車駆動歯２３１Ａと、この日車駆動歯２３１Ａの反時計
回り方向で隣り合う歯との間から、日回し車２３１の外周縁に沿って時計回り方向に円弧
状となる切欠部２３１Ｂが形成されている。これにより、切欠部２３１Ｂより外周側で先
端に日車駆動歯２３１Ａが設けられる１片部が弾性を有し、例えば日付を手動にて修正す
る際などにおいて、過度の応力が日車駆動歯２３１Ａに加わった場合でも緩衝力が作用す
るため、日車駆動歯２３１Ａの破損などを防止することができる。
【００２４】
一位日車２３２は、ムーブメント１００の外周縁に沿って配置される円環状部材であり
、地板１１０に時針駆動軸１０２を中心軸として回転可能に保持されている。この一位日
車２３２は、時針駆動軸１０２からの径寸法が、時針駆動軸１０２から一位日板２２０ま
での径寸法と略同一に形成され、時計１の厚み方向において、一位日板２２０と重なる位
置に配設されている。そして、上記したように、一位日車２３２は、外周縁に外径方向に
突出する日板連結片２３２Ｂを備えている。これらの日板連結片２３２Ｂは、一位日車２
３２の外周縁に等間隔に３つ配設されている。そして、これらの日板連結片２３２Ｂの先
端部には連結部材２２３が固定され、この連結部材２２３を介して、一位日車２３２と一
位日板２２０とが連結されている。したがって、日回し車２３１の駆動力により一位日車
２３２が回転駆動すると、一位日板２２０も連動して回転駆動する。
【００２５】
また、一位日車２３２の内周面には、一位駆動歯２３２Ａが均等間隔で配設されている
。具体的には、一位日車２３２は、一位日板２２０の各一位目盛２２１間に対向する位置
にそれぞれ配置される３１個の一位駆動歯２３２Ａが配置されている。そして、一位日車
２３２は、日回し車２３１の日車駆動歯２３１Ａがこれらの一位駆動歯２３２Ａのうちい
ずれか１つに係合して回転駆動することにより、この一位駆動歯２３２Ａが押し出されて
、反時計回り方向に一つの一位駆動歯２３２Ａの間隔分だけ回転駆動する。これにより、
一位日板２２０も反時計回りに回動し、一位日付表示孔１６から表示される一位目盛が隣
り合う次の一位目盛に切り替わる。
【００２６】
一位ジャンパ２３３は、日付表示機構２００における十位日車２５１と重ならない位置
に設けられている。この一位ジャンパ２３３は、図２に示すように、長手状に形成され、
一端部が一位ジャンパ軸部２３３Ａにより地板１１０に回動自在に保持されている。また
、この一位ジャンパ２３３の一位ジャンパ軸部２３３Ａにより保持される一端部（基端部
）には、一位ジャンパバネ部２３３Ｂが連続して形成されている。この一位ジャンパバネ
部２３３Ｂは、一位ジャンパ２３３の長手方向に延出するとともに、先端側がムーブメン
ト１００の中心方向に湾曲して形成され、先端部が図示しない位置決め部に位置決めされ
ている。これにより、一位ジャンパ２３３における、基端部とは反対側となる先端部は、
外径側に付勢される。
そして、一位ジャンパ２３３の先端部には、一位日車２３２の一位駆動歯２３２Ａに対
向する一位ジャンパ切り替え部２３３Ｃが形成されている。この一位ジャンパ切り替え部
２３３Ｃは、中心部が一位日車２３２側に突出する突出部２３３Ｄを有し、この突出部２
３３Ｄから両端部に向かうに従って一位日車２３２から離れる方向に傾斜するテーパ面２
３３Ｅ，２３３Ｆが形成されている。これにより、一位日車２３２が回動すると、一位駆
動歯２３２Ａが一位ジャンパ切り替え部２３３Ｃのテーパ面２３３Ｅを押し込み、一位ジ
ャンパ切り替え部２３３Ｃが内径側に押し込まれる。そして、一位駆動歯２３２Ａが一位
ジャンパ切り替え部２３３Ｃの突出部２３３Ｄと通過すると、一位ジャンパバネ部２３３
Ｂの付勢力により一位ジャンパ切り替え部２３３Ｃが外径方向に押し出され、テーパ面２
３３Ｆにより一位駆動歯２３２Ａを反時計回り方向に押し出す。ここで、一位駆動歯２３
２Ａが一位ジャンパ切り替え部２３３Ｃの突出部２３３Ｄを乗り越えるタイミングは、指
針駆動機構により時分針１８，１９が０時０分の指針位置に移動されるタイミングと一致
するように適宜位置が調整されている。
【００２７】
〔十位日板および十位日付駆動機構の構成〕
十位日板２４０は、略円盤状に形成され、カレンダ輪列受２１０および地板１１０に固
定される日車案内板２１２間に設けられる十位日車軸２４１により回転可能に保持されて
いる。この十位日板２４０は、図２に示すように、文字板１３に対向する面に、日付の十
位の数字、および月末日（「３０日」および「３１日」）の一位の数字を示す十位目盛２
４２が配置されている。
具体的には、十位日板２４０には、日付表示窓１５に対向する円環領域に５個の十位目
盛２４２が均等に配置されている。この十位目盛２４２は、通常十位目盛２４２Ａと、月
末十位目盛２４２Ｂとを備えている。
通常十位目盛２４２Ａは、十位日付表示孔１７に対向する領域に「０」、「１」、「２
」のいずれかが配置され、一位日付表示孔１６に対向する領域に一位表示孔２４３が形成
される目盛である。一方、月末十位目盛２４２Ｂは、十位日付表示孔１７に対向する領域
に「３」が配置され、一位日付表示孔１６に対向する領域に「０」または「１」が配置さ
れる目盛である。そして、十位日板２４０には、時計回り方向に沿って、通常十位目盛２
４２Ａ、月末十位目盛２４２Ｂの順に十位目盛２４２が配置され、さらに通常十位目盛２
４２Ａは、時計回り方向に沿って十位の数字が「０」、「１」、「２」となるように、月
末十位目盛２４２Ｂは、時計回り方向に沿って一位の数字が「０」、「１」となるように
配置されている。
【００２８】
十位日付駆動機構２５０は、十位日車２５１と、十位ジャンパ２５２とを備えている。
なお、図５に、図２における十位日車駆動機構の拡大図を示す。
十位日車２５１は、十位日車２５１と同軸上、すなわち十位日車軸２４１に固定され、
十位日車２５１と連動して回転駆動する。この十位日車２５１には、図５に示すように、
外周面に５個の係合歯２５１Ａが周方向に均等に配置されている。これらの係合歯２５１
Ａは、それぞれ、一位日板２２０の十位駆動歯２２２に係合可能に設けられており、一位
日板２２０の回動により十位駆動歯２２２が係合歯２５１Ａに噛合することにより十位日
車２５１が回転駆動する。
【００２９】
ここで、一位日板２２０における上旬目盛２２１Ａの「２」と「３」との間に設けられ
る十位駆動歯２２２により、十位日車２５１が回動されるタイミングでは、一位日付表示
孔１６に対向して一位日板２２０の上旬目盛２２１Ａの「１」が移動し、日付表示窓１５
に対向して十位日板２４０の十位が「０」である通常十位目盛２４２Ａが移動する。した
がって、日付表示窓１５の十位日付表示孔１７には、十位日板２４０の「０」が表示され
、一位日付表示孔１６には、十位日板２４０の一位表示孔２４３が対向するため、一位日
板２２０の「１」が表示される。同様にして、一位日板２２０における中旬目盛２２１Ｂ
の「１」と「２」との間に設けられる十位駆動歯２２２により、十位日車２５１が回動さ
れるタイミングでは、日付表示窓１５の十位日付表示孔１７には、十位日板２４０の「１
」が表示され、一位日付表示孔１６には、一位日板２２０の「０」が表示される。また、
一位日板２２０における下旬目盛２２１Ｃの「１」と「２」との間に設けられる十位駆動
歯２２２により、十位日車２５１が回動されるタイミングでは、日付表示窓１５の十位日
付表示孔１７には、十位日板２４０の「２」が表示され、一位日付表示孔１６には、一位
日板２２０の「０」が表示される。
【００３０】
一方、一位日板における非表示目盛２２１Ｄと上旬目盛２２１Ａの「１」との間に設け
られる十位駆動歯２２２により、十位日車２５１が回動されるタイミングでは、一位日付
表示孔１６に対向して一位日板２２０の非表示目盛２２１Ｄが移動し、日付表示窓１５に
対向して十位日板２４０の一位が「０」である月末十位目盛２４２Ｂが移動する。したが
って、日付表示窓１５の十位日付表示孔１７には、十位日板２４０の月末十位目盛２４２
Ｂの十位である「３」が表示され、一位日付表示孔１６には、十位日板２４０の月末十位
目盛２４２Ｂの一位である「１」が表示される。同様にして、一位日板２２０における上
旬目盛２２１Ａの「１」と「２」との間に設けられる十位駆動歯２２２により、十位日車
２５１が回動されるタイミングでは、日付表示窓１５の十位日付表示孔１７には、月末十
位目盛２４２Ｂの十位である「３」が表示され、一位日付表示孔１６には、十位日板２４
０の月末十位目盛２４２Ｂの一位である「１」が表示される。
【００３１】
また、これら係合歯２５１Ａの先端部は、略平面状に形成されており、後述する十位ジ
ャンパ２５２の切り替えタイミングを調整している。
【００３２】
十位ジャンパ２５２は、日車案内板２１２上の前記した十位日車２５１と同一平面上に
設けられている。この十位ジャンパ２５２は、一位ジャンパ２３３と同様に、長手状に形
成され、一端部が十位ジャンパ軸部２５２Ａにより日車案内板２１２に回動自在に保持さ
れている。また、この十位ジャンパ２５２の十位ジャンパ軸部２５２Ａにより保持される
一端部（基端部）には、十位ジャンパバネ部２５２Ｂが連続して形成されている。この十
位ジャンパバネ部２５２Ｂは、十位ジャンパ２５２の長手方向に延出するとともに、先端
側がムーブメント１００の中心方向に湾曲して形成され、先端部が図示しない位置決め部
に位置決めされている。これにより、十位ジャンパ２５２における、基端部とは反対側と
なる先端部は、外径側に付勢される。
そして、十位ジャンパ２５２の先端部には、十位日車２５１の係合歯２５１Ａに対向す
る十位ジャンパ切り替え部２５２Ｃが形成されている。この十位ジャンパ切り替え部２５
２Ｃは、中心部が十位日車軸２４１側に突出する突出部２５２Ｄを有し、この突出部２５
２Ｄから両端部に向かうに従って十位日車２５１から離れる方向に傾斜するテーパ面２５
２Ｅ，２５２Ｆが形成されている。これにより、十位日車２５１が回動すると、係合歯２
５１Ａが十位ジャンパ切り替え部２５２Ｃのテーパ面２５２Ｅを押し込み、十位ジャンパ
切り替え部２５２Ｃが内径側に押し込まれる。また、係合歯２５１Ａは、前記したように
、先端部が平面状に形成されているため、十位ジャンパ切り替え部２５２Ｃの突出部２５
２Ｄは、この係合歯２５１Ａの先端の平面部に当接する。この後、さらに十位日車２５１
が回動され、十位ジャンパ切り替え部２５２Ｃの突出部２５２Ｄが、係合歯２５１Ａの先
端の平面部における端部を越えると、十位ジャンパバネ部２５２Ｂの付勢力により十位ジ
ャンパ切り替え部２５２Ｃが外径方向に押し出され、テーパ面２５２Ｆにより係合歯２５
１Ａを反時計回り方向に押し出す。ここで、係合歯２５１Ａが十位ジャンパ切り替え部２
５２Ｃの突出部２５２Ｄにより押し出されるタイミングは、一位ジャンパ２３３が一位ジ
ャンパ切り替え部２３３Ｃにより一位駆動歯２３２Ａを押し出すタイミングを略同時とな
るように、適宜係合歯２５１Ａの先端の平面部の寸法が設定されている。
【００３３】
［日付表示機能付時計の動作］
次に上述したような時計１の日付の表示動作について説明する。
時計１では、指針駆動機構から時針駆動軸１０２に駆動力が伝達されると、時針駆動軸
１０２の日付駆動伝達歯車１０２Ｂから日回し車２３１に駆動力が伝達され、日回し車２
３１は、１日で１回転する。また、日回し車２３１の日車駆動歯２３１Ａが一位日車２３
２の一位駆動歯２３２Ａに係合し、一位日車２３２を一段階半時計回り方向に進ませる。
この時、指針駆動機構により、時分針が０時０分に移動されるタイミングで、一位ジャン
パ２３３により、一位駆動歯２３２Ａが押し出されて、即座に一位日車２３２が回動され
、一位日車２３２と連動する一位日板２２０も回動する。これにより、一位表示孔２４３
に対向する一位目盛２２１が一日毎に切り替えられる。
【００３４】
また、一位日板２２０の回転駆動により、一位日板２２０の内周面の十位駆動歯２２２
が十位日車２５１の係合歯２５１Ａに係合すると、十位日車２５１にも駆動力が伝達され
、十位日車２５１も半時計回り方向に一段階回動される。この時、一位ジャンパ２３３に
より一位駆動歯２３２Ａが押し出されるタイミングで、十位ジャンパ２５２により、係合
歯２５１Ａが押し出され、即財に十位日車２５１が回動される。すなわち、指針駆動機構
により、時分針が０時０分に移動されるタイミングで、一位日板２２０および十位日板２
４０の双方が同時に回動される。
これにより、日付が「０１日」、「１０日」、および「２０日」に変わる際に、十位日
付表示孔１７に対向する位置に、十位日板２４０の通常十位目盛２４２Ａの各十位の数字
が移動され、また、一位日付表示孔１６に対向する位置に十位日板２４０の通常十位目盛
２４２Ａの一位表示孔２４３が対向して一位日板２２０の一位目盛２２１が移動される。
したがって、十位日付表示孔１７から十位日板２４０の通常十位目盛２４２Ａの十位数字
である「０」、「１」、および「２」のうちいずれかが表示され、一位日付表示孔１６か
ら一位日板２２０の一位目盛２２１の「０」〜「９」の数字のいずれかが表示される。
一方、日付が「３０日」および「３１日」に変わる際には、日付表示窓１５に対向する
位置に十位日板２４０の月末十位目盛２４２Ｂが移動されるため、一位日板２２０が十位
日板２４０により隠される。したがって、十位日付表示孔１７から十位日板２４０の月末
十位目盛２４２Ｂの十位数字である「３」が表示され、一位日付表示孔１６から十位日板
２４０の月末十位目盛２４２Ｂの一位数字である「０」または「１」が表示される。
【００３５】
［日付表示機能付時計の作用効果］
上述したように、上記実施の形態の時計１では、日付表示窓１５が一位日付表示孔１６
および十位日付表示孔１７により構成されており、一位日付表示孔１６からは一位日板２
２０に設けられる一位目盛２２１が表示可能とされ、十位日付表示孔１７からは、十位日
板２４０に設けられる十位目盛２４２が表示可能とされている。このため、例えば１つの
窓から２桁の数字を表示させる構成に比べて、日付表示窓１５に表示される日付の各桁の
数字サイズを大きくすることができ、日付をより視認しやすくできるとともに、意匠性も
良好にすることができる。
また、十位日板２４０において、月末十位目盛２４２Ｂは、十位日付表示孔１７に対向
する十位の数字である「３」と、一位日付表示孔１６に対向する一位の数字である「０」
（または「１」）を備えている。したがって、十位日板２４０の月末十位目盛２４２Ｂが
日付表示窓１５に対向する位置に移動された際には、日付表示窓１５から表示される数字
が双方とも十位日板２４０に設けられる目盛であるため、これらの数字間の段差を無くす
ことができる。また、十位数字および一位数字を十位日付表示孔１７および一位日付表示
孔１６に対応した適切な位置に配置することができ、各数字間の間隔寸法のずれや配置位
置のずれによる縦横方向のずれも無くすことができる。したがって、例えば商品撮影など
の際に、数字間の段差による影が生じないため、照明位置などを微調整するなどの煩雑な
作業が伴わず、容易に数字間の段差を感じさせない良好な商品撮影を実施することができ
る。
【００３６】
また、十位日板２４０は、十位目盛として、十位の数字が「０」、「１」、「２」であ
る３つの通常十位目盛２４２Ａと、「３０」、「３１」に対応する双表示目盛としての月
末十位目盛２４２Ｂとを備え、周方向に沿って均等に配置されている。
このため、例えば、双表示目盛が１〜２９日のいずれかである場合に比べて、十位日板
２４０に配置される十位目盛２４２の数を減らすことができ、十位日板２４０の構成をよ
り簡単にすることができ、小型化にも対応することができる。
【００３７】
さらに、一位日車２３２と一位日板２２０とは、連結ピンに連結されて同軸上で回転駆
動される。そして、一位日板２２０は、内周面の所定位置に十位駆動歯２２２を有し、十
位日車２５１はこの十位駆動歯２２２により回転駆動されて十位日板２４０を回転駆動さ
せる。
このため、一位日板２２０と十位日板２４０とを連動させて駆動させることができ、日
付の一位数字と十位数字とがずれるなどの不都合を回避することができる。また、時針駆
動軸１０２からの駆動力を日回し車２３１を解して一位日車２３２に伝達させることで、
一位日板２２０および十位日板２４０の双方を駆動させることができる。したがって、こ
れら日付表示機構２００を駆動するための専用のモータなどが不要であり、省エネルギー
化に貢献でき、また、このような専用のモータの配置位置を確保する必要がないため限ら
れたスペースを有効に活用することができる。
【００３８】
そして、一位日車２３２は、一位ジャンパ２３３により、十位日車２５１は、十位ジャ
ンパ２５２により、それぞれ押し出されて駆動される。これにより、日付表示窓１５に表
示される日付を即座に切り替えることができ、例えば一位日付表示孔１６や十位日付表示
孔１７に、隣り合う目盛の中間部が対向し、日付が不明確となる不都合を防止することが
できる。
また、日付が「０１日」、「１０日」、「２０日」に変わる際には、一位ジャンパ２３
３および十位ジャンパ２５２が、同一タイミングで、それぞれ一位日車２３２および十位
日車２５１を押し出す。これにより、一位の数字と十位の数字のタイミングのずれにより
、例えば「１０」を表示する際に「１９」や「００」が表示されるなどの不都合を防止す
ることができ、適切な日付を日付表示窓１５から表示させることができる。
また、この際、一位ジャンパ２３３および十位ジャンパ２５２は、時分針１８，１９が
０時０分に移動されるタイミングで、それぞれ一位日車２３２および十位日車２５１を押
し出す。このため、例えば、日付が変わると同時に、日付表示窓１５に表示される表示を
切り替えることができる。
【００３９】
［他の実施の形態］
なお、本発明は前述の実施形態に限定されるものではなく、本発明の目的を達成できる
範囲での変形、改良等は本発明に含まれるものである。
【００４０】
例えば、一位ジャンパ２３３および十位ジャンパ２５２として、回動自在に設けられ、
一位ジャンパバネ部２３３Ｂおよび十位ジャンパ切り替え部２５２Ｃの付勢力により、一
位ジャンパ切り替え部２３３Ｃおよび十位ジャンパ切り替え部２５２Ｃ側が一位駆動歯２
３２Ａおよび係合歯２５１Ａに近接する方向に付勢される構成を示したが、これに限定さ
れない。例えば、一位ジャンパや十位ジャンパとして、コイルバネなどの付勢手段により
、コマ状のジャンパ部材が一位駆動歯２３２Ａおよび係合歯２５１Ａに近接する方向に付
勢される構成されるなどとしてもよい。また、一位駆動歯２３２Ａの先端部を平面状に形
成し、係合歯２５１Ａと同様の動作により一位日車２３２を駆動させる構成としてもよい
。
【００４１】
また、一位日板２２０に設けられる十位駆動歯２２２により十位日車２５１が駆動され
、十位日板２４０が回動する構成としたが、十位日車が時針駆動軸から伝達される駆動力
により直接駆動される構成としてもよい。
さらに、日付表示機構２００を駆動させるモータを別途設ける構成としてもよく、さら
には、一位日板２２０を駆動させる駆動モータ、十位日板２４０を駆動させる駆動モータ
をそれぞれ設ける構成などとしてもよい。
【００４２】
そして、十位日板２４０は、双表示目盛として月末十位目盛２４２Ｂである「３０」「
３１」を備える構成を例示したが、例えば、双表示目盛として十の位に「０」、一の位に
「１」が表示される月頭十位目盛を設ける構成としてもよい。この場合、この月頭十位目
盛に続いて、十位に「１」、「２」、「３」が表示される通常十位目盛を配置する。一方
、一位日板は、１つの非表示目盛、「２」〜「９」の上旬目盛、「０」〜「９」の中旬目
盛、「０」〜「９」の下旬目盛、「０」および「１」の月末目盛を順に配置する。このよ
うな目盛配置であっても、上記実施形態と同様の効果が得られ、日付表示窓１５から「０
１」が表示される際に、十位の数字と一位の数字との間の段差を無くすことができる。
【００４３】
また、本実施の形態では、上旬目盛２２１Ａの「１」と「２」との間、「２」と「３」
との間、中旬目盛２２１Ｂの「１」と「２」との間、下旬目盛２２１Ｃの「１」と「２」
との間、および非表示目盛２２１Ｄと上旬目盛２２１Ａの「１」との間に対応する位置に
十位駆動歯２２２が設けられる例を示すが、これに限定されない。すなわち、十位駆動歯
２２２は、文字板１３の日付表示窓１５の位置や、日付表示窓１５に対する十位日板２４
０や十位日車２５１の相対位置により適宜設定されるものであり、十位駆動歯２２２によ
り十位日車２５１が回転されることで、「１」〜「３１」までの日付が順に表示可能な構
成であればよい。
【００４４】
さらに、十位日板２４０の通常十位目盛２４２Ａにおいて、一位日付表示孔１６に対応
する位置に一位表示孔２４３が形成される構成を例示したが、これに限定されない。例え
ば、十位日板２４０が、通常十位目盛２４２Ａの一位日付表示孔１６に対向する位置が切
り欠かれた形状に形成される構成などとしてもよい。
【００４５】
その他、本発明の実施の際の具体的な構造および手順は、本発明の目的を達成できる範
囲で他の構造などに適宜変更できる。
【図面の簡単な説明】
【００４６】
【図１】本発明の一実施の形態の係る日付表示機能付時計の概略を示す全体図である。
【図２】前記実施の形態の日付表示機能付時計の内部において文字板を取り外した状態の概略構成を示す正面図である。
【図３】図２におけるIII-III’線を断面した断面図である。
【図４】「１」〜「２９」の日付が表示される状態における日付表示窓近傍を断面した断面図である。
【図５】前記実施の形態の日付表示機能付時計における十位日車駆動機構近傍を拡大した拡大図である。
【符号の説明】
【００４７】
１…日付表示機能付時計、１３…文字板、１６…一位日付表示孔、１７…十位日付表示
孔、２００…日付表示機構、２２０…一位日板、２２１…一位目盛、２２１Ａ…上旬目盛
、２２１Ｂ…中旬目盛、２２１Ｃ…下旬目盛、２２１Ｄ…非表示目盛、２２２…十位駆動
歯、２３０…一位日付駆動機構、２３２…一位日車、２３２Ａ…一位駆動歯、２３３…一
位ジャンパ、２４０…十位日板、２４２…十位目盛、２４２Ａ…通常十位目盛、２４２Ｂ
…双表示目盛としての月末十位目盛、２５０…十位日付駆動機構、２５１…十位日車、２
５２…十位ジャンパ。
【図１】
0005151637.tif 000002
【図２】
0005151637.tif 000003
【図３】
0005151637.tif 000004
【図４】
0005151637.tif 000005
【図５】
0005151637.tif 000006